(57)【要約】    【課題】  パトローネ室内でパトローネが回転するのを防ぐとともにパトローネ室に対してパトローネを容易に出し入れすることができるカメラを提供すること。    【解決手段】  パトローネ室２に収容されたパトローネ２１のスプール２１ｂ軸周りの回転を規制するパトローネ受け３をカメラ本体１に設け、パトローネ２１内のフィルムを巻き戻すための巻戻しノブ７をカメラ本体１に設け、巻戻しノブ７を引き上げたときこれにつれてパトローネ受け３がパトローネ室２外へ退避するように、パトローネ受け３と巻戻しノブ７とを巻戻し軸６で連結した。【選択図】        図４
2005283953.tif 000002
【特許請求の範囲】
【請求項１】
パトローネ室に収容されたパトローネのスプール軸周りの回転を規制するパトローネ規制手段と、
前記パトローネ内のフィルムを巻き戻すための回転ノブと
を備えているカメラにおいて、
前記回転ノブを引き上げたときこれにつれて前記パトローネ規制手段がパトローネ周辺から退避するように、前記パトローネ規制手段と前記回転ノブとを連結する連結部材を備えていることを特徴とするカメラ。
【請求項２】
前記連結部材は、前記回転ノブの回転を前記スプール軸に伝達する回転伝達軸であることを特徴とする請求項１記載のカメラ。
【請求項３】
前記回転伝達軸の一端は前記回転ノブに結合され、
前記パトローネ規制手段はほぼＬ形に形成され、
前記パトローネ規制手段の一端は前記回転伝達軸に係合し、その他端は前記回転ノブを引き上げない状態で前記パトローネのフィルム引出部近傍に位置することを特徴とする請求項２記載のカメラ。
【発明の詳細な説明】
【技術分野】
【０００１】
この発明はパトローネのスプール軸周りの回転を防止するパトローネ規制手段を備えたカメラに関する。
【背景技術】
【０００２】
従来、パトローネのスプール軸周りの回転を防止するパトローネ口金受けを備えたカメラが知られている（下記特許文献１参照）。
【０００３】
図５は従来のカメラの断面図である。
【０００４】
このカメラでは図示しない裏蓋を開けたとき、パトローネ口金受け２０３が回転軸を中心にして傾き、パトローネ口金受け２０３がパトローネ室２０２から突出する。
【０００５】
したがって、パトローネ室２０２の斜め上方からパトローネ２１を入れることができる。
【０００６】
また、パトローネ室２０２からパトローネ２１を出すときは、パトローネ２１を斜め上方へ引き上げる。
【特許文献１】特開平１−２８７６６３号公報（第４頁右上欄第２行〜同頁左下欄第１１行、図２参照）
【発明の開示】
【発明が解決しようとする課題】
【０００７】
上述の従来例では、パトローネ２１をパトローネ室２０２の斜め上方からしか入れることができず、パトローネ室２０２に対するパトローネ２１の出し入れが困難であった。
【０００８】
例えば、パトローネ室２０２の前方からパトローネ２１をパトローネ室２０２に入れようとしても、パトローネ口金受け２０３によってパトローネ２１の挿入が阻まれる。同様に、パトローネ室２０２の前方へパトローネ２１を引き出そうとしても、パトローネ受け２０３によってパトローネ２１の引出しが阻まれる。
【０００９】
この発明はこのような事情に鑑みてなされたもので、その課題はパトローネ室に対してパトローネを容易に出し入れすることができるカメラを提供することである。
【課題を解決するための手段】
【００１０】
前述の課題を解決するため請求項１の発明のカメラは、パトローネ室に収容されたパトローネのスプール軸周りの回転を規制するパトローネ規制手段と、前記パトローネ内のフィルムを巻き戻すための回転ノブとを備えているカメラにおいて、前記回転ノブを引き上げたときこれにつれて前記パトローネ規制手段がパトローネ周辺から退避するように、前記パトローネ規制手段と前記回転ノブとを連結する連結部材を備えていることを特徴とする。
【００１１】
請求項２の発明は、請求項１記載のカメラにおいて、前記連結部材は、前記回転ノブの回転を前記スプール軸に伝達する回転伝達軸であることを特徴とする。
【００１２】
請求項３の発明は、請求項２記載のカメラにおいて、前記回転伝達軸の一端は前記回転ノブに結合され、前記パトローネ規制手段はほぼＬ形に形成され、前記パトローネ規制手段の一端は前記回転伝達軸に係合し、その他端は前記回転ノブを引き上げない状態で前記パトローネのフィルム引出部近傍に位置することを特徴とする。
【発明の効果】
【００１３】
この発明のカメラによれば、パトローネ室に対してパトローネを容易に出し入れすることができる。
【発明を実施するための最良の形態】
【００１４】
以下、この発明の実施の形態を図面に基づいて説明する。
【００１５】
図１はこの発明の一実施形態に係るカメラのパトローネ室周辺を示す断面図である。
【００１６】
図１に示すように、パトローネ２１を図の右方向へ付勢するパトローネばね４がパトローネ室２内に設けられている。
【００１７】
パトローネ受け３がパトローネ２１の口金（フィルム引出部）２１ａの近傍に配置されている。パトローネ受け３は口金２１ａを受け止めることによってパトローネ２１の回転（パトローネ２１のスプール２１ｂの回転中心軸周りの回転）を阻止する。
【００１８】
図２は図１に示すカメラのパトローネ受けが降ろされた状態の背面図である。図２において裏蓋は省略されている。
【００１９】
図２に示すように、カメラ本体１の左側にはパトローネ室２が設けられている。
【００２０】
巻戻し軸（回転伝達軸）６が上下方向へ移動可能にカメラ本体１に取り付けられている。巻戻し軸６の一部はカメラ本体１から突出する。巻戻し軸６には小径部（部分的に径が小さくなった部分）６ａが形成されている。
【００２１】
巻戻し軸６の下端にはフォーク５が取り付けられている。フォーク５はパトローネ２１のスプール２１ｂに係合する。
【００２２】
巻戻し軸６の上端には巻戻しノブ（回転ノブ）７が取り付けられている。
【００２３】
パトローネ室２の天井を構成する仕切り板１１には孔１１ａが設けられ、孔１１ａにはパトローネ受け３の受止部３ａが上下方向へ移動可能に挿入されている。パトローネ受け３は平板状の連結部３ｂを有する。連結部３ｂには切欠き３ｃが形成されている。切欠き３ｃには巻戻し軸６の小径部６ａが係合している。巻戻し軸６の小径部６ａ以外の部分の外径は切欠き３ｃの幅よりも大きく、巻戻し軸６の小径部６ａの外径は切欠き３ｃの幅よりも小さい。巻戻し軸６が回転してもパトローネ受け３は回転しないが、巻戻し軸６が上下動するとパトローネ受け３が上下動する。パトローネ受け３が降りている状態（図２に示す状態）のとき、受止部３ａはパトローネ２１のケース部２１ｃと口金２１ａとの間の凹んだ部分に挿入され（図１参照）、パトローネ２１が回転したりパトローネ室２から抜けるのを阻止する。
【００２４】
図３は図１に示すカメラのパトローネ受けが引き上げられた状態の背面図である。図３において裏蓋は省略されている。
【００２５】
図３に示すように、巻戻しノブ７を引き上げると、巻戻し軸６及びフォーク５が引き上げられてパトローネ室２から抜け出す。また、パトローネ受け３は巻戻し軸６に係合しているので、巻戻しノブ７を引き上げると、パトローネ受け３も引き上げられてパトローネ室２から抜け出す。
【００２６】
図４は図１に示すカメラのパトローネ室にパトローネを装填した状態の背面図である。図４において裏蓋は省略されている。
【００２７】
図４に示すように、フォーク５及びパトローネ受け３がパトローネ室２から退避した状態であるので、図面に対して直交する方向からパトローネ２１をパトローネ室２に装填することができる。パトローネ２１をパトローネ室２に装填した後に、巻戻しノブ７を押し下げると、フォーク５及びパトローネ受け３がパトローネ室２内に戻される。このとき、フォーク５はパトローネ２１のスプール２１ｂ（図１参照）に係合し、パトローネ受け３はパトローネ２１の口金２１ａの後面に当接する。この口金２１ａの後面に当接したパトローネ受け３によってパトローネ２１の回転が阻止される。
【００２８】
パトローネ２１をパトローネ室２から取り出すときは、フォーク５及びパトローネ受け３をパトローネ室２から退避させる。その結果、図面と直交する方向からパトローネ２１をパトローネ室２から取り出すときに障害になるものが無くなり、パトローネ２１を取り出すことができる。
【００２９】
この実施形態では、パトローネ受け３と巻戻しノブ７とを連結する連結部材として巻戻し軸６を用いたが、連結部材はこれに限られない。
【図面の簡単な説明】
【００３０】
【図１】図１はこの発明の一実施形態に係るカメラのパトローネ室周辺を示す断面図である。
【図２】図２は図１に示すカメラのパトローネ受けが降ろされた状態の背面図である。
【図３】図３は図１に示すカメラのパトローネ受けが引き上げられた状態の背面図である。
【図４】図４は図１に示すカメラのパトローネ室にパトローネを装填した状態の背面図である。
【図５】図５は従来のカメラの断面図である。
【符号の説明】
【００３１】
１  カメラ本体
２  パトローネ室
３  パトローネ受け
６  巻戻し軸（回転伝達軸）
７  巻戻しノブ（回転ノブ）
２１  パトローネ
２１ａ  口金（フィルム引出部）
２１ｂ  スプール
【図１】
2005283953.tif 000003
【図２】
2005283953.tif 000004
【図３】
2005283953.tif 000005
【図４】
2005283953.tif 000006
【図５】
2005283953.tif 000007